【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
非晶性ポリエステル樹脂、結晶性ポリエステル樹脂、離型剤及び着色剤を含んで構成され、
前記結晶性ポリエステル樹脂の含有量がトナー全体の５〜１５質量％の範囲であり、トナーのテトラヒドロフラン可溶分をメタノール中に滴下させたときの該メタノールへの溶解成分量が、トナー全体に対して１質量％以下であることを特徴とする静電荷像現像用トナー。
【請求項２】
前記非晶性ポリエステル樹脂及び結晶性ポリエステル樹脂のテトラヒドロフラン可溶分をメタノール中に滴下させたときの該メタノールへの溶解成分量が、各々樹脂全体に対して１質量％以下であり、これらの樹脂を乳化凝集させて得られることを特徴とする請求項１に記載の静電荷像現像用トナー。
【請求項３】
前記乳化凝集に用いる非晶性ポリエステル樹脂及び結晶性ポリエステル樹脂の各乳化液が、酸または塩を含むことを特徴とする請求項２に記載の静電荷像現像用トナー。
【請求項４】
前記離型剤が、パラフィンワックス、カルナウバワックス及びエステルワックスから選択される１種以上であることを特徴とする請求項１〜３のいずれか１項に記載の静電荷像現像用トナー。
【請求項５】
トナーを含み、該トナーが請求項１〜４のいずれか１項に記載の静電荷像現像用トナーであることを特徴とする静電荷像現像剤。
【請求項６】
トナーが少なくとも収められ、該トナーが請求項１〜４のいずれか１項に記載の静電荷像現像用トナーであることを特徴とするトナーカートリッジ。
【請求項７】
現像剤保持体を少なくとも備え、請求項５に記載の静電荷像現像剤を収めることを特徴とするプロセスカートリッジ。
【請求項８】
像保持体と、該像保持体上に形成された静電荷像を現像剤によりトナー像として現像する現像手段と、像保持体上に形成されたトナー像を被転写体上に転写する転写手段と、被転写体上に転写されたトナー像を定着する定着手段と、を有し、前記現像剤が請求項５に記載の静電荷像現像剤であることを特徴とする画像形成装置。
【請求項９】
像保持体上に形成された静電荷像を現像剤によりトナー像として現像する現像工程と、像保持体上に形成されたトナー像を被転写体上に転写する転写工程と、被転写体上に転写されたトナー像を定着する定着工程と、を有し、前記現像剤が請求項５に記載の静電荷像現像剤であることを特徴とする画像形成方法。
【手続補正２】
【補正対象書類名】明細書
【補正対象項目名】発明の名称
【補正方法】変更
【補正の内容】
【発明の名称】静電荷像現像用トナー、静電荷像現像剤、トナーカートリッジ、プロセスカートリッジ、画像形成装置及び画像形成方法
【手続補正３】
【補正対象書類名】明細書
【補正対象項目名】０００１
【補正方法】変更
【補正の内容】
【０００１】
本発明は、静電荷像現像用トナー、静電荷像現像剤、トナーカートリッジ、プロセスカートリッジ、画像形成装置及び画像形成方法に関する。
【手続補正４】
【補正対象書類名】明細書
【補正対象項目名】０００６
【補正方法】変更
【補正の内容】
【０００６】
本発明の目的は、低温定着性に優れ、トナー像におけるトナー載り量変化に対して安定した定着性を得ることができる静電荷像現像用トナー、静電荷像現像剤、トナーカートリッジ、プロセスカートリッジ、画像形成装置及び画像形成方法を提供することである。
【手続補正５】
【補正対象書類名】明細書
【補正対象項目名】０００７
【補正方法】変更
【補正の内容】
【０００７】
上記課題は、以下の本発明により達成される。
すなわち本発明の請求項１に係る発明は、非晶性ポリエステル樹脂、結晶性ポリエステル樹脂、離型剤及び着色剤を含んで構成され、
前記結晶性ポリエステル樹脂の含有量がトナー全体の５〜１５質量％の範囲であり、トナーのテトラヒドロフラン可溶分をメタノール中に滴下させたときの該メタノールへの溶解成分量が、トナー全体に対して１質量％以下である静電荷像現像用トナーである。
【手続補正６】
【補正対象書類名】明細書
【補正対象項目名】００１４
【補正方法】変更
【補正の内容】
【００１４】
請求項８に係る発明は、像保持体と、該像保持体上に形成された静電荷像を現像剤によりトナー像として現像する現像手段と、像保持体上に形成されたトナー像を被転写体上に転写する転写手段と、被転写体上に転写されたトナー像を定着する定着手段と、を有し、前記現像剤が請求項５に記載の静電荷像現像剤である画像形成装置である。
請求項９に係る発明は、像保持体上に形成された静電荷像を現像剤によりトナー像として現像する現像工程と、像保持体上に形成されたトナー像を被転写体上に転写する転写工程と、被転写体上に転写されたトナー像を定着する定着工程と、を有し、前記現像剤が請求項５に記載の静電荷像現像剤であることを特徴とする画像形成方法。
【手続補正７】
【補正対象書類名】明細書
【補正対象項目名】００１５
【補正方法】変更
【補正の内容】
【００１５】
本発明の請求項１に係る発明によれば、低温定着性に優れ、ホットオフセットの発生温度を制御でき、定着可能温度領域の広い優れた定着性を持つトナーを得ることができる。
請求項２に係る発明によれば、ホットオフセットの発生温度を制御でき、定着可能温度領域の広い優れた定着性を持つトナーを得ることができる。
請求項３に係る発明によれば、乳化凝集法でトナーを製造する場合に乳化粒子の粒径を制御でき、トナーの粒度分布を安定に保つことができる。またホットオフセットの発生温度を制御でき、定着可能温度領域の広い優れた定着性を持つトナーを得ることができる。
請求項４に係る発明によれば、定着時においてより離型剤が染み出しやすく、耐オフセット性を向上させることができる。
請求項５に係る発明によれば、低温定着性に優れ、ホットオフセットの発生温度を制御でき、定着可能温度領域の広い優れた定着性を持つ静電荷像現像剤を提供することができる。
請求項６に係る発明によれば、低温定着性に優れ、ホットオフセットの発生温度を制御でき、定着可能温度領域の広い優れた定着性を持つ静電荷像現像用トナーの供給を容易にし、上記特性の維持性を高めることができる。
請求項７に係る発明によれば、低温定着性に優れ、ホットオフセットの発生温度を制御でき、定着可能温度領域の広い優れた定着性を持つ静電荷像現像剤の取り扱いを容易にし、種々の構成の画像形成装置への適応性を高めることができる。
請求項８に係る発明によれば、低温定着性に優れ、ホットオフセットの発生温度を制御でき、定着可能温度領域の広い優れた定着性を有する画像形成を維持することができる。
請求項９に係る発明によれば、低温定着性に優れ、ホットオフセットの発生温度を制御でき、定着可能温度領域の広い優れた定着性を有する画像形成を維持することができる。
【手続補正８】
【補正対象書類名】明細書
【補正対象項目名】００１６
【補正方法】変更
【補正の内容】
【００１６】
以下、本発明を詳細に説明する。
＜静電荷像現像用トナー＞
本発明の静電荷像現像用トナーは、非晶性ポリエステル樹脂、結晶性ポリエステル樹脂、離型剤及び着色剤を含んで構成され、前記結晶性ポリエステル樹脂の含有量がトナー全体の５〜１５質量％の範囲であり、トナーのテトラヒドロフラン可溶分をメタノール中に滴下させたときの該メタノールへの溶解量が、トナー全体に対して１質量％以下であることを特徴とする。